(57)【要約】【課題】  カメラに熟練していない一般ユーザーでも、シーン撮影モードに最適な露光量の補正を行うことができる撮像装置の提供することにある。【解決手段】  撮影シーンに適した撮影を行うシーン撮影モードと、露光量を変更する露出補正手段６１とを備えた撮像装置１において、露出補正手段６１で補正する露出補正量の刻みが、シーン撮影モード毎に独立して設定可能であり、撮影シーンに適した撮影を行うシーン撮影モードと、露光量を変更しながら複数の画像を撮影する露出オートブラケット機能を備えた撮像装置１において、前記オートブラケット機能の実行許可／禁止が、シーン撮影モード毎に独立して設定可能であること。【選択図】        図２
2005062370.tif 000002
【特許請求の範囲】
【請求項１】
撮影シーンに適した撮影を行うシーン撮影モードと、露光量を補正する露出補正手段とを備えた撮像装置において、前記露出補正手段で補正する露出補正量の刻みが、シーン撮影モード毎に独立して設定可能であることを特徴とする撮像装置。
【請求項２】
前記露出補正量の刻みが、シーン撮影モード毎に最適な刻みに予め設定されていることを特徴とする請求項１記載の撮像装置。
【請求項３】
前記露出補正量の刻みが、シーン撮影モード毎に独立して最適化可能であることを特徴とする請求項１記載の撮像装置。
【請求項４】
露光量を変更するパラメータが、シーン撮影モード毎に最適なパラメータに設定されていることを特徴とする請求項１ないし３のいずれか１項記載の撮像装置。
【請求項５】
露光量を変更するパラメータとは、シャッタースピード、絞り、撮影感度であり、シーン撮影モード毎に最適なパラメータ設定とは、少なくとも１つの露光量を変更するパラメータを固定にして、他の露光量を変更するパラメータを変更することによって露出補正を行うことであることを特徴とする請求項４記載の撮像装置。
【請求項６】
撮影シーンに適した撮影を行うシーン撮影モードと、露光量を変更しながら複数の画像を撮影する露出オートブラケット機能を備えた撮像装置において、前記オートブラケット機能の実行許可／禁止が、シーン撮影モード毎に独立して設定可能であることを特徴とする撮像装置。
【請求項７】
前記オートブラケット機能の設定パラメータが、シーン撮影モード毎に最適なパラメータに予め設定されていることを特徴とする請求項６記載の撮像装置。
【請求項８】
前記オートブラケット機能の設定パラメータが、シーン撮影モード毎に独立して最適化可能であることを特徴とする請求項６記載の撮像装置。
【請求項９】
前記オートブラケット機能の設定パラメータとは、露出補正量の刻みであることを特徴とする請求項７及び８のいずれか１項記載の撮像装置。
【請求項１０】
前記オートブラケット機能の設定パラメータとは、露光量を変更しながら撮影する枚数であることを特徴とする請求項７及び８のいずれか１項記載の撮像装置。
【請求項１１】
前記オートブラケット機能の設定パラメータとは、基準露光補正量であることを特徴とする請求項７及び８のいずれか１項記載の撮像装置。
【請求項１２】
前記オートブラケット機能の設定パラメータとは、露出補正順番であることを特徴とする請求項７及び８のいずれか１項記載の撮像装置。
【請求項１３】
前記オートブラケット機能の設定パラメータとは、露光量変更パラメータであり、この露光量変更パラメータとは、シャッタースピード、絞り、撮影感度であり、少なくとも１つの露光量パラメータを固定して、他の露光量パラメータを変更することによって、露出補正を行うことを特徴とする請求項７及び８のいずれか１項記載の撮像装置。
【発明の詳細な説明】
【技術分野】
【０００１】
本発明は、撮影シーンに適した撮影を行うシーン撮影モードと、露光量を変更する露出補正手段とを備えた露出量補正手段を備えた撮像装置、および露光量を変更しながら複数の画像を撮影する露出オートブラケット機能を備えた撮像装置に関するものである。
【背景技術】
【０００２】
従来、撮影シーンに適した自動露出制御を行うために、シーン撮影モードに応じて撮影エリアの重みづけ量を変更することで、測光方式を自動選択する手段は知られている（例えば、特許文献１参照）。
【特許文献１】特開２０００−３５４１９６公報
【発明の開示】
【発明が解決しようとする課題】
【０００３】
しかしながら、カメラは被写体からの反射光を測光するために、被写体の反射率は測光結果を大きく左右し、標準反射率に近い被写体を撮影する場合は適正な露光量を得ることができるが、反射率が高い被写体の場合には露出不足（アンダー）になり、反射率が高い被写体の場合には露出過多（オーバー）となる。
この問題は、被写体からの反射光を測光するという動作原理に起因するため、撮影エリアの重みづけ量を変更しても、根本的な解決にはならず、撮影者が望む撮影を行うためには、自動露出により算出された露光量を補正する露出補正機能や、露光量を少しずつ変化させながら複数枚の画像を撮影するオートブラケット機能が不可欠となる。
かかる露光量の補正については、前述した先行技術には、記載がなく、考慮されていない。撮影するシーンと露光量の補正とは緊密な関係が存在しており、例えば、露出補正量の刻みをとっても、風景撮影を行うモードと人物撮影を行うモードでは、適した刻みが異なる。
また、露光量の補正の仕方についても、風景撮影を行うモードでは、絞りを固定にして、シャッタースピードを変更して露光量を変更する方法が望ましく、スポーツ撮影を行うモードでは、シャッタースピードを固定して、絞りを変更して露光量を変更する方法が望ましい。
しかしながら、カメラに熟練していない一般ユーザーがシーン撮影モードに最適な露光量の補正を行うことは、実際には困難である。
本発明は、上記に鑑みてなされたものであって、カメラに熟練していない一般ユーザーでも、シーン撮影モードに最適な露光量の補正を行うことができる撮像装置の提供することにある。
【課題を解決するための手段】
【０００４】
上述した課題を解決し、目的を達成するために、請求項１にかかる発明は、撮影シーンに適した撮影を行うシーン撮影モードと、露光量を補正する露出補正手段とを備えた撮像装置において、前記露出補正手段で補正する露出補正量の刻みが、シーン撮影モード毎に独立して設定可能である撮像装置を最も主要な特徴とする。
また、請求項２にかかる発明は、前記露出補正量の刻みが、シーン撮影モード毎に最適な刻みにおいて予め設定されている請求項１記載の撮像装置を主要な特徴とする。
また、請求項３にかかる発明は、前記露出補正量の刻みが、シーン撮影モード毎に独立して最適化可能である請求項１記載の撮像装置を主要な特徴とする。
また、請求項４にかかる発明は、露光量を変更するパラメータが、シーン撮影モード毎に最適なパラメータに設定されている請求項１ないし３のいずれか１項記載の撮像装置を主要な特徴とする。
また、請求項５にかかる発明は、露光量を変更するパラメータとは、シャッタースピード、絞り、撮影感度であり、シーン撮影モード毎に最適なパラメータ設定とは、少なくとも１つの露光量を変更するパラメータを固定にして、他の露光量を変更するパラメータを変更することによって露出補正を行うことである請求項４記載の撮像装置を主要な特徴とする。
また、請求項６にかかる発明は、撮影シーンに適した撮影を行うシーン撮影モードと、露光量を変更しながら複数の画像を撮影する露出オートブラケット機能を備えた撮像装置において、前記オートブラケット機能の実行許可／禁止が、シーン撮影モード毎に独立して設定可能である撮像装置を最も主要な特徴とする。
【０００５】
また、請求項７にかかる発明は、前記オートブラケット機能の設定パラメータが、シーン撮影モード毎に最適なパラメータに予め設定されている請求項６記載の撮像装置を主要な特徴とする。
また、請求項８にかかる発明は、前記オートブラケット機能の設定パラメータが、シーン撮影モード毎に独立して最適化可能である請求項６記載の撮像装置を主要な特徴とする。
また、請求項９にかかる発明は、前記オートブラケット機能の設定パラメータとは、露出補正量の刻みである請求項７及び８のいずれか１項記載の撮像装置を主要な特徴とする。
また、請求項１０にかかる発明は、前記オートブラケット機能の設定パラメータとは、露光量を変更しながら撮影する枚数である請求項７及び８のいずれか１項記載の撮像装置を主要な特徴とする。
また、請求項１１にかかる発明は、前記オートブラケット機能の設定パラメータとは、基準露光補正量である請求項７及び８のいずれか１項記載の撮像装置を主要な特徴とする。
また、請求項１２にかかる発明は、前記オートブラケット機能の設定パラメータとは、露出補正順番である請求項７及び８のいずれか１項記載の撮像装置を主要な特徴とする。
また、請求項１３にかかる発明は、前記オートブラケット機能の設定パラメータとは、露光量変更パラメータであり、この露光量変更パラメータとは、シャッタースピード、絞り、撮影感度であり、少なくとも１つの露光量パラメータを固定して、他の露光量パラメータを変更することによって、露出補正を行う請求項７及び８のいずれか１項記載の撮像装置を主要な特徴とする。
【発明の効果】
【０００６】
請求項１にかかる発明によれば、あるシーン撮影モードではプラス側に露出補正を行い、別のシーン撮影モードでは露出補正を行わないというように、シーン撮影モード毎に独立して露出補正量を設定することにより、シーン撮影モードを切り換える度に、露出補正量の設定を設定し直す必要がなく、意図しない露出補正量の設定のまま撮影してしまうという問題を避けることができ、カメラに熟練していない一般ユーザーでも、シーン撮影モードに最適な露光量の補正を行うことができる。
また、請求項２にかかる発明によれば、例えば、風景を撮影するモードの露出補正量の刻みは１．０ＥＶ毎というように、大きく補正しないと露出補正を行った効果が表れにくく、人物撮影の露出補正量の刻みは０．３ＥＶ毎というように、小さな補正で十分な効果があり、このようなシーン撮影モード毎の最適な刻みを予め設定しておけば、使い勝手が向上する。
また、請求項３にかかる発明によれば、一般的に、あるシーン撮影モードには、０．５ＥＶの補正が適しているとされていても、撮影者の好みにより、この補正量が微妙に異なる場合がある。撮影者が暗めの画面が好み場合には、上記シーン撮影モードでは、０．３ＥＶの補正のほうがより適しており、撮影者が暗めの画面が好みの場合には、上記シーン撮影モードでは、０．７ＥＶの補正のほうがより適している。したがって、このように、撮影者の好みに合わせて撮影者自身が、シーン撮影モード毎の露出補正量の刻みを設定できるようにしておけば、使い勝手が向上する。
また、請求項４にかかる発明によれば、露光量を変更するパラメータを、シーン撮影モード毎に最適なパラメータに設定することによって使い勝手が向上する。
【０００７】
また、請求項５にかかる発明によれば、露光量を変更するパラメータとは、シャッタースピード、絞り、撮影感度であり、シーン撮影モード毎に最適なパラメータ設定とは、少なくともひとつの露光量を変更するパラメータを固定にして、他の露光量を変更するパラメータを変更することで露出補正を行うこととしている。例えば、風景を撮影するモードでは、露光量を補正するさいに絞りを固定する方法が適しており、また、スポーツを撮影するモードでは、露光量を補正するさいにシャッタースピードを固定する方法が適しており、したがって、このようにシーン撮影モード毎に最適なパラメータに設定されていれば、使い勝手が向上する。
また、請求項６にかかる発明によれば、或るシーン撮影モードではオートブラケット撮影を行い、別のシーン撮影モードではオートブラケット撮影を行わないというように、シーン撮影モード毎に独立してオートブラケット機能の実行許可／禁止を設定することにより、シーン撮影モードを切り換える度に、オートブラケット機能の実行許可／禁止設定を設定し直す必要がなく、意図しないオートブラケット機能の実行許可／禁止設定のまま撮影してしまうという問題を避けることができる。
また、請求項７にかかる発明によれば、オートブラケット機能の設定パラメータを、シーン撮影モード毎に最適なパラメータに予め設定することによって、使い勝手が向上する。
また、請求項８にかかる発明によれば、オートブラケット機能の設定パラメータを、シーン撮影モード毎に独立して最適化可能であることによって、使い勝手が向上する。
また、請求項９にかかる発明によれば、オートブラケット機能の設定パラメータを、露出補正量の刻みとすることによって、オートブラケット撮影を行うさいの露出補正量の刻みをが、シーン撮影モード毎に予め設定されていれば、シーン撮影モードを切り換える度に設定し直す必要がなく便利であり、また、露出補正量の刻みを設定可能にしておけば、撮影者の好みに対応することができる
【０００８】
また、請求項１０にかかる発明によれば、オートブラケット機能の設定パラメータを、露光量を変更しながら撮影する枚数とすることによって、オートブラケット撮影を行うさいの撮影枚数が、シーン撮影モード毎に予め設定されていれば、シーン撮影モードを切り換える度に設定し直す必要がなく便利であり、また、撮影枚数を設定可能にしておけば、撮影者の使用状況に対応することができる。
また、請求項１１にかかる発明によれば、オートブラケット機能の設定パラメータを、基準露光補正量とすることによって、オートブラケット撮影を行うさいの基準露光補正量は、±０ＥＶであることが一般的であるが、シーン撮影モードによっては、オフセットをつけ、例えば、＋０．３ＥＶを基準露光補正量とすることがある。オートブラケット撮影を行うさいの基準露光補正量が、シーン撮影モード毎に予め設定されていれば、シーン撮影モードを切り換える度に設定し直す必要がなく便利であり、また、基準露光補正量を設定可能にしておけば、撮影者の好みに対応することができる。
また、請求項１２にかかる発明によれば、オートブラケット機能の設定パラメータを、露出補正順番とすることによって、オートブラケット撮影を行うさいの露出補正順番は、例えば３枚撮影する場合、標準→マイナス→プラス、マイナス→標準→プラス、プラス→標準→マイナスのどれかであることが一般的であるが、このオートブラケット撮影を行うさいの露出補正順番を、設定可能にしておけば、撮影者の好みに対応することができる。
また、請求項１３にかかる発明によれば、オートブラケット機能の設定パラメータとは、露光量変更パラメータであり、露光量変更パラメータとは、シャッタースピード、絞り、撮影感度であり、少なくともひとつの露光量パラメータは固定して、他の露光量パラメータを変更することで、露出補正を行うこととする。例えば、風景を撮影するモードでは、露光量を補正するさいに絞りを固定する方法が適しており、また、スポーツを撮影するモードでは、露光量を補正するさいにシャッタースピードを固定する方法が適しており、このように、シーン撮影モード毎に最適な露光量変更パラメータが設定されていれば、使い勝手が向上し、また、露光量変更パラメータを設定可能にしておけば、撮影者の好みに対応することができる。
【発明を実施するための最良の形態】
【０００９】
以下に添付図面を参照して、この発明にかかる撮像装置の最良な実施の形態を詳細に説明する。なお、各図の番号は、同じ部材や同じ処理に関しては、極力、同じ番号を付けている。
図１は本発明の撮像装置の１例であるデジタルカメラの外観を示す上面図である。図２は図１のデジタルカメラの外観を示す正面図である。図３は図１のデジタルカメラの外観を示す背面図である。
図４は本発明の撮像装置の１例であるデジタルカメラの構造を略示するブロック図である。まず、図１ないし図４を使用して、本発明の撮像装置の１例であるデジタルカメラの動作を説明する。
図１ないし図４において、デジタルカメラ本体１の上面には、レリーズシャッタ（ＳＷ１）２、モードダイヤル（ＳＷ２）３、およびサブＬＣＤ４が配置されている。デジタルカメラ本体１の正面には、ＳＤカード／電池蓋５、ストロボ発光部６、光学ファインダ７、測距ユニット８、リモコン受光部９、鏡胴ユニット１０が配置されている。デジタルカメラ本体１の背面には、ＡＦＬＥＤ１１、ストロボＬＥＤ１２、ズームスイッチ（ワイド）（ＳＷ３）１３、ズームスイッチ（遠隔）（ＳＷ４）１４、セルフタイマ／削除スイッチ（ＳＷ５）１５、メニュースイッチ（ＳＷ６）１６、上／ストロボスイッチ（ＳＷ７）１７が配置されている。さらに、デジタルカメラ本体１の背面には、右スイッチ（ＳＷ８）１８、ディスプレイスイッチ（ＳＷ９）１９、下／ストロボスイッチ（ＳＷ１０）２０、左／画像確認スイッチ（ＳＷ１１）２１、オーケースイッチ（ＳＷ１２）２２、ＬＣＤモニタ２３および電源スイッチ（ＳＷ１３）２４が配置されている。
【００１０】
図４において、鏡胴ユニット１０は、被写体の光学画像を取り込むズームレンズ２６、ズーム駆動モータ３３からなるズーム光学系２５、フォーカスレンズ２８、フォーカス駆動モータ３４からなるフォーカス光学系２７、絞り３０、絞りモータ３５からなる絞りユニット２９、メカシャッタ３２、メカシャッタモータ３６からなるメカシャッタユニット３１、各モータを駆動するモータドライバ３７を有する。
そして、モータドライバ３７は、リモコン受光部９入力や操作部キーユニット（ＳＷ１〜ＳＷ１３）５２の操作入力に基づく、後述するデジタルスチルカメラプロセッサ５８内にあるＣＰＵブロック６１からの駆動指令により駆動制御される。
デジタルスチルカメラプロセッサ５８につながるＲＯＭ６４には、ＣＰＵブロック６１にて解読可能なコードで記述された、制御プログラム６５や制御するためのパラメータが格納されている。このデジタルカメラの電源がオン状態になると、前記プログラムは図示してないメインメモリにロードされ、前記ＣＰＵブロック６１はそのプログラムにしたがって装置各部の動作を制御する。それとともに制御に必要なデータ等を、一時的に、ＲＡＭ６３、および後述するデジタルスチルカメラプロセッサ５８内にあるローカルＳＲＡＭ６２に保存する。ＲＯＭ６４としては、書き換え可能なフラッシュＲＯＭを使用することで、制御プログラムや制御するためのパラメータを変更することが可能となり、機能のＶｅｒＵｐが容易に行える。
ＣＣＤ３８は光学画像を光電変換するための固体撮像素子であり、Ｆ／Ｅ（フロントエンド）−ＩＣ４０は画像ノイズ除去用相関二重サンプリングを行うＣＤＳ３９、利得調整を行うＡＧＣ４０ａ、デジタル信号変換を行うＡ／Ｄ４１、ＣＣＤ１制御ブロック５９から、垂直同期信号（以下、ＶＤと記す。）、水平同期信号（以下、ＨＤと記す。）を供給され、ＣＰＵブロック６１によって制御されるＣＣＤ３８、およびＦ／Ｅ−ＩＣ４０の駆動タイミング信号を発生するＴＧ４２を有する。
【００１１】
デジタルスチルカメラプロセッサ５８はＣＣＤ３８よりＦ／Ｅ―ＩＣ４０の出力データにホワイトバランス設定やガンマ設定を行い、また、前述したように、ＶＤ信号、ＨＤ信号を供給するＣＣＤ１制御ブロック５９、フィルタリング処理により、輝度データ・色差データへの変換を行うＣＣＤ２制御ブロック６０、前述した装置各部の動作を制御するＣＰＵブロック６１を含んでいる。
また、デジタルスチルカメラプロセッサ５８は前述した制御に必要なデータ等を、一時的に、保存するローカルＳＲＡＭ６２、パソコンなどの外部機器とＵＳＢ通信を行うＵＳＢブロック７２、パソコンなどの外部機器とシリアル通信を行うシリアルブロック７１、ＪＰＥＧ圧縮・伸張を行うＪＰＥＧ  ＣＯＤＥＣブロック７０を含んでいる。
さらに、デジタルスチルカメラプロセッサ５８は画像データのサイズを補間処理により拡大／縮小するリサイズブロック６９、画像データを液晶モニタやＴＶなどの外部表示機器に表示するためのビデオ信号に変換するＴＶ信号表示ブロック６８、撮影された画像データを記録するメモリカードの制御を行うメモリカードブロック６７を含んでいる。
ＳＤＲＡＭ５４は、前述したデジタルスチルカメラプロセッサ５８で画像データに各種処理を施すさいに、画像データを一時的に保存する。保存される画像データは、例えば、ＣＣＤ３８から、Ｆ／Ｅ−ＩＣ４０を経由して取り込む。ここで、取り込まれた画像データはＣＣＤ１制御（信号処理）ブロック５９でホワイトバランス設定、ガンマ設定が行われた状態の「ＲＡＷ−ＲＧＢ画像データ」やＣＣＤ２制御ブロック６０で輝度データ・色差データ変換が行われた状態の「ＹＵＶ画像データ」、ＪＰＥＧ  ＣＯＤＥＣブロック７０で、ＪＰＥＧ圧縮された「ＪＰＥＧ画像データ」などである。
【００１２】
メモリカードスロットル７９は着脱可能なメモリカード８０を装着するためのスロットルである。内蔵メモリ６６は、前述したメモリカードスロットル７９にメモリカード８０が装着されていない場合でも、撮影した画像データを記憶できるようにするためのメモリである。
ＬＣＤドライバ７６は、後述するＬＣＤモニタ２３を駆動するドライブ回路であり、ＴＶ信号表示ブロック６８から出力されたビデオ信号を、ＬＣＤモニタ２３に表示するための信号に変換する機能も有している。ＬＣＤモニタ２３は、撮影前に被写体の状態を監視する、撮影した画像を確認する、メモリカード８０や前述した内蔵メモリ６６に記録した画像データを表示する、などを行うためのモニタである。ビデオＡＭＰ７７は、ＴＶ信号表示ブロック６８から出力されたビデオ信号を、７５Ωインピーダンス変換するためのアンプであり、ビデオジャック７８は、ＴＶなどの外部表示機器と接続するためのジャックである。
ＵＳＢコネクタ７３は、パソコンなどの外部機器とＵＳＢ接続を行うためのコネクタである。シリアルドライバ回路７４は、パソコンなどの外部機器とシリアル通信を行うために、前述したシリアルブロック７１の出力信号を電圧変換するための回路であり、ＲＳ−２３２Ｃコネクタは、パソコンなどの外部機器とシリアル接続を行うためのコネクタである。
【００１３】
サブ−ＣＰＵ５１は、ＲＯＭ・ＲＡＭをワンチップに内蔵したＣＰＵであり、操作キーユニット（ＳＷ１〜１３）５２やリモコン受光部９の出力信号をユーザーの操作情報として、前述したＣＰＵブロック６１に出力したり、前述したＣＰＵブロック６１より出力されるカメラの状態を、後述するサブＬＣＤ４、ＡＦ  ＬＥＤ１１、ストロボＬＥＤ１２、ブザー５３の制御信号に変換して、出力する。
サブＬＣＤ４は、例えば、撮影可能枚数などを表示するための表示部であり、ＬＣＤドライバ５０は、前述したサブ−ＣＰＵ５１の出力信号より、前述したサブＬＣＤ４を駆動するためのドライブ回路である。
ＡＦ  ＬＥＤ１１は、撮影時の合焦状態を表示するためのＬＥＤであり、ストロボＬＥＤ１２は、ストロボ充電状態を表すためのＬＥＤである。なお、このＡＦ  ＬＥＤ１１とストロボＬＥＤ１２を、メモリカードアクセス中などの別の表示用途に使用しても良い。  操作キーユニット（ＳＷ１〜１３）５２は、ユーザーが操作するキー回路であり、リモコン受光部９は、ユーザーが操作したリモコン送信機の信号の受信部である。
音声記録ユニットは、ユーザーが音声信号を入力するマイク４３、入力された音声信号を増幅するマイクＡＭＰ４４、増幅された音声信号を記録する音声記録回路４５からなっている。音声再生ユニットは、記録された音声信号をスピーカーから出力できる信号に変換する音声再生回路４８、変換された音声信号を増幅し、スピーカーを駆動するためのオーディオＡＭＰ４７、音声信号を出力するスピーカー４６からなっている。
【００１４】
図５はシーン撮影モードに応じた露出補正量の設定方法を説明するフローチャートである。次に、図５を参照して、シーン撮影モードに応じた露出補正量の設定方法を説明する。図５において、まず、被写体輝度を測光する（Ｓ１）。測光は、図４のカメラブロック図に示す鏡胴ユニット１０を通過した光画像データをＣＣＤ３８で光電変換し、更にＦ／Ｅ−ＩＣ４０でデジタルデータに変換されたデジタル画像データより、ＣＣＤ１制御（信号処理）ブロック５９で、輝度信号成分を抽出することで実現する（Ｓ１）。
次に、Ｓ１で得た被写体輝度より露光量を演算し、シャッタースピード、絞り、撮影感度の設定を行う。ここで、被写体輝度をＢＶ、露光量をＥＶ、シャッタースピードをＴＶ、絞りをＡＶ、撮影感度をＳＶとした場合に、下記の（式１）の関係が成り立つ。シャッタースピード、絞り、撮影感度の設定は、この式１より算出する（Ｓ２）。
ＥＶ＝ＢＶ＋ＳＶ＝ＴＶ＋ＡＶ・・・（式１）
次に、現在のシーン撮影モードの露出補正有無を読み出す（Ｓ３）。ここで、各シーン撮影モードの露出補正有無は、図４のカメラブロック図に示す内蔵メモリ６６の画像記録エリア以外の個所に記憶されている。また、図４のカメラブロック図に示すＲＯＭ６４が書き換え可能なフラッシュＲＯＭである場合、ＲＯＭ６４の制御プログラム格納エリア以外の個所に記憶するようにしてもよい。さらに、各シーン撮影モードに対応して設定されている露出補正有無の初期値は、メーカーが考える最適値が設定されているが、その後、ユーザーが変更できるものとする。ユーザーが変更するさいの動作説明は後述する。次に、Ｓ３で読み出した露出補正量が露出補正ありかどうか判断する。露出補正なしの場合、Ｓ１２へ進む。露出補正ありの場合、Ｓ５へ進む（Ｓ４）。
【００１５】
次に、露出補正ありのとき、現在のシーン撮影モードに対応して設定されている露出補正量を読み出す。各シーン撮影モードに対応して設定されている露出補正量の記憶に関してはＳ３で説明した露出補正有無の場合と同様である（Ｓ５）。
次に、現在のシーン撮影モードに対応して設定されている露出補正優先パラメータを読み出す。各シーン撮影モードに対応して設定されている露出補正優先パラメータの記憶に関してはＳ３において説明した露出補正有無の場合と同様である（Ｓ６）。
次に、露出補正優先パラメータが絞り固定かどうか判断する。絞り固定でない場合、Ｓ９へ進む。絞り固定の場合はＳ８へ進む（Ｓ７）。絞り固定の場合、シャッタースピード（ＴＶ）を露出補正量分だけシフトする。露出補正量をΔＥＶ、露出補正量に応じたシャッタースピードのシフト量をΔＴＶとした場合の制御式は式２のようになる（Ｓ８）。
ＥＶ＋ΔＥＶ＝ＢＶ＋ΔＥＶ＝ＴＶ＋ΔＴＶ＋ＡＶ―ＳＶ・・・（式２）
絞り固定でない場合、露出補正優先パラメータがシャッタースピード固定かどうか判断する。シャッタースピード固定でない場合、Ｓ１１へ進む。シャッタースピード固定の場合、Ｓ１０へ進む（Ｓ９）。
【００１６】
次にシャッタースピード固定の場合、撮影感度（ＳＶ）を露出補正量分だけシフトする。露出補正量をΔＥＶ、露出補正量に応じた撮影感度のシフト量をΔＳＶとした場合の制御式は式３のようになる（Ｓ１０）。
ＥＶ＋ΔＥＶ＝ＢＶ＋ΔＥＶ＝ＴＶ＋ＡＶ―（ＳＶ＋ΔＳＶ）・・・（式３）
次にシャッタースピード固定でない場合、絞り（ＡＶ）を露出補正量分だけシフトする。露出補正量をΔＥＶ、露出補正量に応じた絞りのシフト量をΔＡＶとした場合の制御式は式４のようになる（Ｓ１１）。
ＥＶ＋ΔＥＶ＝ＢＶ＋ΔＥＶ＝ＴＶ＋ＡＶ―（ＳＶ＋ΔＳＶ）・・・（式４）
次に、シャッターレリーズが押下（オン）されたか判断する。押下されていない場合、Ｓ１へ戻り、被写体輝度の測光からＳ１１までの処理を繰り返す。このようにすると、図１ないし図３のカメラ外観図と図４のカメラブロック図に示すＬＣＤモニタ２３を使用して、被写体の状態を観察している状態（モニタリング状態）において、露出補正を行った状態で観察ができる。シャッターレリーズが押下された場合は、Ｓ１３へ進む（Ｓ１２）。次に、撮影を行い、処理を終了する（Ｓ１３）。
【００１７】
図６はシーン撮影モードに応じたオートブラケット撮影方法を説明するフローチャートである。図６において、シーン撮影モードに応じたオートブラケット撮影方法を説明する。図６において、まず、被写体輝度を測光する。測光についての説明は、図５を用いて説明したシーン撮影モードに応じた露出補正方法のＳ１と同様である（Ｓ２１）。
次に、Ｓ２１で得た被写体輝度より露光量を演算し、シャッタースピード、絞り、撮影感度の設定を行う。シャッタースピード、絞り、撮影感度の設定については、図５を用いて説明した、シーン撮影モードに応じた露出補正方法のＳ２および式１と同様である（Ｓ２２）。
次に、現在のシーン撮影モードに対応したオートブラケット撮影有無を読み出す（Ｓ２３）。各シーン撮影モードのオートブラケット撮影有無は、図４のカメラブロック図に示す内蔵メモリ６６の画像記録エリア以外の個所に記憶されている。また、図４のカメラブロック図に示すＲＯＭ６４が書き換え可能なフラッシュＲＯＭである場合、ＲＯＭ６４の制御プログラム格納エリア以外の個所に記憶するようにしてもよい。また、各シーン撮影モードに対応して設定されているオートブラケット撮影有無の設定の初期値は、メーカーが考える最適値に設定されているが、その後、ユーザーが変更できるものとする。ユーザーが変更するさいの動作説明は、後述する。
次に、Ｓ２３で読み出したオートブラケット撮影の設定がオートブラケット撮影有りかどうか判断する（Ｓ２４）。オートブラケット撮影無しの場合、Ｓ３５へ進む。オートブラケット撮影有りの場合、Ｓ２５へ進む。
オートブラケット撮影有りの場合、現在のシーン撮影モードに対応して設定されているオートブラケット撮影の露出補正量の刻みを読み出す。各シーン撮影モードに対応して設定されているオートブラケット撮影の露出補正量の刻みの記憶に関してはＳ２３で説明したオートブラケット撮影の設定の場合と同様である（Ｓ２５）。
【００１８】
次に、現在のシーン撮影モードに対応して設定されているオートブラケット撮影の撮影枚数を読み出す。各シーン撮影モードに対応して設定されているオートブラケット撮影の撮影記憶に関してはＳ２３で説明したオートブラケット撮影の設定の場合と同様である（Ｓ２６）。
次に、現在のシーン撮影モードに対応して設定されているオートブラケット撮影の基準露光補正量を読み出す。各シーン撮影モードに対応して設定されているオートブラケット撮影の基準露光補正量の記憶に関してはＳ２３で説明したオートブラケット撮影の設定の場合と同様である（Ｓ２７）。
次に、現在のシーン撮影モードに対応して設定されているオートブラケット撮影の優先パラメータを読み出す。各シーン撮影モードに対応して設定されているオートブラケット撮影の優先パラメータの記憶に関してはＳ２３で説明したオートブラケット撮影の設定の場合と同様である（Ｓ２８）。
次に、オートブラケットの撮影枚数と、露出補正量の刻みと、基準露光補正量とから、撮影するさいの露出補正量を算出する（Ｓ２９）。例えば、オートブラケット撮影を３枚、露出補正量の刻みが０．３ＥＶで−０．３ＥＶ、±０ＥＶ、＋０．３ＥＶの順番で、基準露光補正量が０．５ＥＶで撮影を行う。この場合にオートブラケット撮影を行った枚数が０枚（これから最初の１枚を撮影する）ならば、−０．３ＥＶ＋０．５ＥＶ＝０．２ＥＶが露出補正量となる。この場合にオートブラケット撮影を行った枚数が２枚（これから最後の３枚を撮影する）ならば、＋０．３ＥＶ＋０．５ＥＶ＝０．８ＥＶが、露出補正量となる。
【００１９】
次に、露出補正優先パラメータが絞り固定かどうか判断する。絞り固定でない場合、Ｓ３２へ進む。絞り固定の場合、Ｓ３１へ進む（Ｓ３０）。絞り固定の場合、シャッタースピード（ＴＶ）を露出補正量分だけシフトする。露出補正量と露出補正量に応じたシャッタースピードのシフト量の関係は、図５を用いて説明した、シーン撮影モードに応じた露出補正方法のＳ８および式２と同様である（Ｓ３１）。
絞り固定でない場合、露出補正優先パラメータがシャッタースピード固定かどうか判断する。シャッタースピード固定でない場合、Ｓ３４へ進む。シャッタースピード固定の場合、Ｓ３３へ進む（Ｓ３２）。
シャッタースピード固定の場合、撮影感度（ＳＶ）を露出補正量分だけシフトする。露出補正量と露出補正量に応じた撮影感度のシフト量の関係は、図５を用いて説明した、シーン撮影モードに応じた露出補正方法のＳ１０および式３と同様である。シャッタースピード固定でない場合、絞り（ＡＶ）を露出補正量分だけシフトする。露出補正量と露出補正量に応じた絞りのシフト量の関係は、図３を用いて説明した、シーン撮影モードに応じた露出補正方法のＳ１１および式４と同様である（Ｓ３４）。次に、撮影を行う（Ｓ３５）。
次に、オートブラケット撮影枚数を撮影し終わったか、判断する（Ｓ３６）。撮影し終わっていない場合、撮影枚数分の撮影が終了するまで、Ｓ２９に戻り、撮影を繰り返す。撮影枚数分の撮影が終了すると、処理を終了する。
なお、シーン撮影モード毎の露出補正とオートブラケット撮影は、併用することが可能である。この場合、図５のフローチャートの撮影処理Ｓ１３の中で、図６のフローチャートのＳ２３からＳ３６までの処理を行うことになる。このさい、Ｓ２１とＳ２２の処理は、Ｓ１とＳ２で行っているので、再度、行う必要はない。
【００２０】
次に、図７ないし図９を用いて、シーン撮影モード毎の露出補正設定方法について説明する。ここで、図７はシーン撮影モード毎の露出補正の第１の設定画面を示す図である。図８はシーン撮影モード毎の露出補正の第２の設定画面を示す図である。図９はシーン撮影モード毎の露出補正の第３の設定画面を示す図である。
まず、図１のカメラ外観図のモードダイヤル（ＳＷ２）３を、セットアップの位置に合わせると、図７のシーン撮影モード毎の露出補正設定画面に示すカメラ動作を設定する画面が表示される。または、モードダイヤル（ＳＷ２）３を、撮影の位置に合わせた状態で、メニュースイッチ（ＳＷ６）１６を押下することで、設定画面を表示するようにしてもよい。ついで、図３のカメラ外観図の上／ストロボスイッチ（ＳＷ７）１７と下／マクロスイッチ（ＳＷ１０）２０を使用して、シーンモード露出補正を選択し、図３のカメラ外観図の右スイッチ（ＳＷ８）１８を押下すると、図８のシーン撮影モード毎の露出補正設定画面２が表示される。
次に、図８のシーン撮影モード毎の露出補正設定画面において、図３のカメラ外観図の上／ストロボスイッチ（ＳＷ７）１７と下／マクロスイッチ（ＳＷ１０）２０を使用して、設定するシーン撮影モードを選択し、図３のカメラ外観図の右スイッチ（ＳＷ８）１８を押下すると、図９のシーン撮影モード毎の露出補正設定画面が表示される。
次に、図８のシーン撮影モード毎の露出補正設定画面において、各設定項目における現在の設定状態が表示される。ここで、ユーザーが設定を変更していない場合は、メーカーにおいて設定した初期値が表示されることは言うまでもない。
【００２１】
次に、図９のシーン撮影モード毎の露出補正設定画面において、図３のカメラ外観図の上／ストロボスイッチ（ＳＷ７）１７と下／マクロスイッチ（ＳＷ１０）２０を使用して、設定したい項目を選択し、図３のカメラ外観図の右スイッチ（ＳＷ８）１８を押下すると、図９のシーン撮影モード毎の露出補正設定画面の右に示す各設定項目の設定値が表示される。
図３のカメラ外観図の上／ストロボスイッチ（ＳＷ７）１７と下／マクロスイッチ（ＳＷ１０）２０を使用して、希望の設定値を選択し、図３のカメラ外観図のオーケースイッチ（ＳＷ１２）２２を押下することで、希望の設定値を選択する。
図１０はシーン撮影モード毎のオートブラケットの第１の設定画面を示す図である。図１１はシーン撮影モード毎のオートブラケットの第２の設定画面を示す図である。図１１はシーン撮影モード毎のオートブラケットの第３の設定画面を示す図である。図１０乃至図１２を用いて、シーン撮影モード毎のオートブラケット設定方法について説明する。図１０はシーン撮影モード毎のオートブラケット設定画面である。まず、図１のカメラ外観図のモードダイヤル（ＳＷ２）を、セットアップの位置に合わせると、図１０のシーン撮影モード毎のオートブラケット設定画面に示すカメラ動作を設定する画面が表示される。または、モードダイヤル（ＳＷ２）３を、撮影の位置に合わせた状態で、メニュースイッチ（ＳＷ６）１６を押下することで、設定画面を表示するようにしてもよい。図３のカメラ外観図の上／ストロボスイッチ（ＳＷ７）１７と下／マクロスイッチ（ＳＷ１０）２０を使用して、シーン撮影モードオートブラケットを選択し、図３のカメラ外観図の右スイッチ（ＳＷ８）１８を押下すると、図１１のシーン撮影モード毎のオートブラケット設定画面が表示される。
次に、図１１のシーン撮影モード毎のオートブラケット設定画面において、図３のカメラ外観図の上／ストロボスイッチ（ＳＷ７）１７と下／マクロスイッチ（ＳＷ１０）２０を使用して、設定するシーン撮影モードを選択し、図３のカメラ外観図の右スイッチ（ＳＷ８）１８を押下すると、図１２のシーン撮影モード毎のオートブラケット設定画面が表示される。
【００２２】
次に、図１１のシーン撮影モード毎のオートブラケット設定画面において、各設定項目における現在の設定状態が表示される。ここで、ユーザーが設定を変更していない場合は、メーカーにおいて設定した初期値が表示されることは、図８のシーン撮影モード毎の露出補正設定画面２の場合と同様である。
次に、図１２のシーン撮影モード毎のオートブラケット設定画面において、図３のカメラ外観図の上／ストロボスイッチ（ＳＷ７）１７と下／マクロスイッチ（ＳＷ１０）２０を使用して、設定したい項目を選択し、図３のカメラ外観図の右スイッチ（ＳＷ８）１８を押下すると、図１２のシーン撮影モード毎のオートブラケット設定画面の右に示す各設定項目の設定値が表示される。
図３のカメラ外観図の上／ストロボスイッチ（ＳＷ７）１７と下／マクロスイッチ（ＳＷ１０）２０を使用して、希望の設定値を選択し、図３のカメラ外観図のオーケースイッチ（ＳＷ１２）２２を押下することで、希望の設定値を選択する。
なお、図７ないし図９のシーン撮影モード毎の露出補正設定、および図１０ないし図１２のシーン撮影モード毎のオートブラケット撮影設定において、設定途中で前の画面に戻る操作は、図３のカメラ外観図のメニュースイッチ（ＳＷ６）１６を押下することによって実行される。
【産業上の利用可能性】
【００２３】
以上のように、本発明にかかる撮像装置は、シーン撮影モードに最適な露光量の補正に有用であり、特に、カメラに熟練しないユーザーが使用するディジタルカメラに適している。
【図面の簡単な説明】
【００２４】
【図１】本発明の撮像装置の１例であるデジタルカメラの外観を示す上面図。
【図２】図１のデジタルカメラの外観を示す正面図。
【図３】図１のデジタルカメラの外観を示す背面図。
【図４】本発明の撮像装置の１例であるデジタルカメラの構造を略示するブロック図。
【図５】シーン撮影モードに応じた露出補正量の設定方法を説明するフローチャート。
【図６】シーン撮影モードに応じたオートブラケット撮影方法を説明するフローチャート。
【図７】シーン撮影モード毎の露出補正の第１の設定画面を示す図。
【図８】シーン撮影モード毎の露出補正の第２の設定画面を示す図。
【図９】シーン撮影モード毎の露出補正の第３の設定画面を示す図。
【図１０】シーン撮影モード毎のオートブラケットの第１の設定画面を示す図。
【図１１】シーン撮影モード毎のオートブラケットの第２の設定画面を示す図。
【図１２】シーン撮影モード毎のオートブラケットの第３の設定画面を示す図。
【符号の説明】
【００２５】
１  デジタルカメラ本体
３  モードダイヤル（ＳＷ１）
１７  上／ストロボスイッチ（ＳＷ７）
１８  右スイッチ（ＳＷ８）
２０  下／マクロスイッチ（ＳＷ２０）
５８  デジタルスチルカメラプロセッサ
６１  ＣＰＵブロック（露出補正手段）
６４  ＲＯＭ
６６  内蔵メモリ
【図１】
2005062370.tif 000003
【図２】
2005062370.tif 000004
【図３】
2005062370.tif 000005
【図４】
2005062370.tif 000006
【図５】
2005062370.tif 000007
【図６】
2005062370.tif 000008
【図７】
2005062370.tif 000009
【図８】
2005062370.tif 000010
【図９】
2005062370.tif 000011
【図１０】
2005062370.tif 000012
【図１１】
2005062370.tif 000013
【図１２】
2005062370.tif 000014